(57)【特許請求の範囲】
【請求項１】
洗濯機や洗濯乾燥機を載置する防水パンの四隅に置かれて洗濯機や洗濯乾燥機の足を載せるための台座であって、
矩形状底板を有する矩形状筒体と、
該矩形状筒体の上端部から周囲に張り出した鍔状部と、
該鍔状部と垂直に交差し、前記矩形状筒体の周囲を覆う矩形状外被部と、
該矩形状外被部と前記矩形状筒体の外周面とを接続する複数個のリブと、
前記矩形状筒体の底板から矩形状筒体の上端部まで立設され格子状に組まれた支持部材と、
該支持部材の上端部と前記鍔状部にかけて配置された平板状の弾性部材と、
を備えたことを特徴とする台座。
【請求項２】
請求項１記載の台座において、前記矩形状筒体の矩形状底板に、該底板の外形寸法と同じ矩形状筒体とその内部に組み込まれた格子状部材とで構成される延長部材が設けられていることを特徴とする台座。
【請求項３】
前記矩形状筒体の矩形状底板の外面には粘着テープが貼付されていることを特徴とする請求項１記載の台座。
【請求項４】
前記延長部材の底部には粘着テープが貼付されていることを特徴とする請求項２記載の台座。
【発明の詳細な説明】
【技術分野】
【０００１】
本発明は、住宅内の洗い場、バスルームやマンションの台所、洗面所において洗濯機や洗濯乾燥機を載置する防水パンの四隅に置き洗濯機や洗濯乾燥機の足を載せるための台座に関するものである。
【背景技術】
【０００２】
洗濯機や洗濯乾燥機用として用いられる防水パンは、床面に設置するもので、床面の排水口に取り付けられる排水トラップをホースジョイントを介して洗濯機の排水ホースと接続し、排水ホースから流出する排水（汚水）を床下に配設した排水管に案内するために用いるものである。排水は、ホースジョイントから排水トラップ内に流れ込み、排水管側へ送られ封水カップと封水筒との封水構造によってトラップを形成して、通常の排水管に洗濯機の排水を流す場合でも防水と臭気の逆流を防止することができるようになっている。
【０００３】
特許文献１に記載の防水パンは、洗濯機が充分に設置可能な面積の平面略長方形をなし、周囲に水止め用の突縁（側壁）が形成され、防水パンの底面に直接或いは底面の四隅に設けた洗濯機載置面に洗濯機を載せ、かつ上部に洗濯機の排水ホース用差し込みを有してなる排水トラップが設けられている。
【０００４】
上記の防水パンの場合、洗濯機を載置したときの状態では、防水パンに取り付けられた排水トラップの清掃は洗濯機が邪魔となって困難であったり、洗濯機用防水パン周囲の縁の高いものは、洗濯機用防水パン自体の掃除がしにくい。また、防水パンの底面の排水勾配が排水トラップ付近に向けて設けられていても排水トラップ付近に溜まったゴミ類は手が届きにくい所にあって掃除がしにくいほか、排水トラップ付近に糸くずやゴミが詰まることにより防水パンに水が溜まりオーバーフローしやすい。
【０００５】
また、住宅の洗濯機設置スペース等の影響により、通常６４０×６４０ｍｍの防水パンが普及していて、排水管洗浄時に排水トラップの封水管や封水筒等の部品がとれずにメンテナンスが出来ない状況が多くあって、排水トラップ設備や配管の漏水の点検や設備良否の検査、点検が必要になっても、排水トラップ本体の内部や配管の良否が点検できない不便があり、施工作業や住宅の維持管理上に不安があって問題があった。
【０００６】
そこで、本出願人は、特許文献２として次のような防水パンを提案している。
この防水パンは、洗濯機排水ホースを接続するホースジョイントを介して床面下に配設される排水管に連結されてトラップ機能をはたすトラップ形成体のある排水トラップ本体を備え、床面の排水口に嵌合されて床面に固定され、洗濯機脚部を載置する台座部のあるものである。
防水パン上に載置した洗濯機下でトラップ形成体を上方に引き抜き横倒し状態にできる隙間を形成する高さを有する台座部を側壁のある防水パンの四隅に立設すると共に、該台座部間にトラップ形成体を横倒し状態で防水パンに出し入れできる円弧状の開口窪みを設けたものである。
【０００７】
この形状の防止パンは、上記のように、防水パン上に載置した洗濯機下で排水トラップ本体内のトラップ形成体を上方に引き抜き横倒し状態にできる隙間を形成する高さを有する台座部を側壁のある防水パンの四隅に立設すると共に、該台座部間にトラップ形成体を横倒し状態で防水パンに出し入れできる開口窪みを側壁に設けたことにより、防水パン底面の清掃が簡単にでき常時清潔状態を維持でき施工作業や住宅の維持管理も容易であり、漏水予防に寄与して環境衛生の向上に役立ち安全性を大幅に高められる。
【０００８】
【特許文献１】実公昭５９−４８４４９号公報
【特許文献２】特願２００６−２６７００１号
【発明の開示】
【発明が解決しようとする課題】
【０００９】
ところで、上記特許文献２に記載の防水パンの場合、新しく設置する場合とか、従来から使用していた台座部の低い防止パンをこの防水パンに交換する際には有効である。しかしながら、交換するには費用が嵩むという問題があり、また特許文献２で提案している防水パンは、住宅の床の設置面積を考慮して、寸法を６４０ｍｍ×６４０ｍｍとしているが、最近のドラム式洗濯機のように寸法が大きくなってくると、洗濯機の足が防止パンの縁（側壁）にぶつかってしまい、載置できないという状態が生じるおそれがある。
【００１０】
そこで、本発明の課題は、従来の防水パン或いは特許文献２に記載した防水パンをそのまま使用でき、排水トラップや防水パンの表面の清掃がし易く、かつ防震効果の高い台座の提供にある。
【課題を解決するための手段】
【００１２】
本発明は、上記課題を解決するために次の手段を採用した。
請求項１記載の台座は、洗濯機や洗濯乾燥機を載置する防水パンの四隅に置かれて洗濯機や洗濯乾燥機の足を載せるための台座であって、矩形状底板を有する矩形状筒体と、該矩形状筒体の上端部から周囲に張り出した鍔状部と、該鍔状部と垂直に交差し、前記矩形状筒体の周囲を覆う矩形状外被部と、該矩形状外被部と前記矩形状筒体の外周面とを接続する複数個のリブと、前記矩形状筒体の底板から矩形状筒体の上端部まで立設され格子状に組まれた支持部材と、該支持部材の上端部と前記鍔状部にかけて配置された平板状の弾性部材とを備えたことを特徴としている。
【００１３】
請求項２記載の台座は、請求項１記載の台座において、前記矩形状筒体の矩形状底板に、該底板の外形寸法と同じ矩形状筒体とその内部に組み込まれた格子状部材とで構成される延長部材が設けられていることを特徴としている。
【００１４】
請求項３記載の台座は、請求項１記載の台座において、前記矩形状筒体の矩形状底板の外面には粘着テープが貼付されていることを特徴としている。
【００１５】
請求項４記載の台座は、請求項２記載の台座において、前記延長部材の底部には粘着テープが貼付されていることを特徴としている。
【発明の効果】
【００１８】
請求項１記載の台座の場合、この台座を防水パンの四隅に配置してその上に洗濯機等の足を載せると、防水パンの側壁と洗濯機の底面との隙間が大きくとれ、排水トラップや防水パン面の清掃が容易となる。また、洗濯機等の足を弾性部材で直接受けるので、洗濯機等の振動が床面に伝わるのを軽減させることができる。またさらに、台座の下方の寸法が上方よりも小さくなっているので、防水パンの各隅に沿わせると、上方が防水パンの各隅より外側に延出（オーバーハング）するので、洗濯機等を例えばドラム式洗濯機のような寸法の大きなものに買い換えても、載置することが可能となる。さらに、弾性板を格子状に組まれた支持部材で支持しているので、洗濯機等の振動が床面に伝わるのをより軽減することができる。
【００１９】
請求項２記載の防水パンによると、請求項１記載の台座において、矩形状筒体の矩形状底板に、該底板の外形寸法と同じ矩形状筒体とその内部に組み込まれた格子状部材とで構成される延長部材が設けられているので、さらに広く防水パンの壁面と洗濯機等の底面との隙間を確保できるので、例え防止パンが台座部の形成されていない従来の平らなもので、かつ側壁が高く形成されている場合であっても、これを利用することで奥に手が入り清掃が容易となる。
【００２０】
請求項３、４記載の防水パンによれば、予め底面に粘着テープが貼付されているので、粘着テープの裏紙を剥がして防水パンに貼着することにより固定することができ作業の煩雑さを軽減することができる。
【発明を実施するための最良の形態】
【００２２】
以下、この発明の実施の形態を図面を参照して説明する。
図１は、この発明の第１の実施の形態に係る台座１０の斜め上方から見た斜視図、図２は台座１０の平面図、図３は底面図、図４は図２のＡ−Ａ線断面図、図５は図２のＢ−Ｂ線断面図、図６は台座１０使用例を示す図である。
【００２３】
本発明の第１の実施形態に係る台座１０は、図１〜図５に示すように、矩形状底板１１を有する矩形状筒体１２と、該矩形状筒体１２の上端部から周囲に張り出した鍔状部１３と、該鍔状部１３と垂直に交差し、矩形状筒体１２の周囲を覆う矩形状外被部１４とを有している。
また、該矩形状外被部１４と矩形状筒体の外周面とを接続する複数個の三角形のリブ１５と、矩形状筒体１２の底板１１から矩形状筒体１２の上端部まで立設され格子状に組まれた支持部材１６と、該支持部材１６の上端部と前記鍔状部１３の上面にかけて配置され上面と下面とに互いに直交するように溝が形成されたゴム製で平板状の弾性板（弾性部材）１７を備えている。
また、矩形状筒体１２の矩形状底板１１の外面には粘着テープ１８が貼付されている。粘着テープ１８は裏紙を剥がすことにより、台座１０の底面を他の物品に貼着することができるようになっている。
【００２４】
また、前記矩形状筒体１２、鍔状部１３、矩形状外被部１４、リブ１５、格子状に組まれた支持部材１６ともプラスチック材、例えばポリプロピレン（Ｐ．Ｐ）を用いて一体成形をしている。
【００２５】
台座１０の寸法は、一例として、高さ約７８ｍｍ、矩形状外被部１４の幅は約１５７ｍｍでその厚さは約３．５ｍｍである。また、矩形状筒体１２の幅は約１２２ｍｍで矩形状底板１１を含めて厚さは約３ｍｍである。また、リブ１５は厚さ約３ｍｍとしている。またさらに、矩形状筒体１２の内部にある格子状に組まれた支持部材１６は縦横それぞれ５枚の板を直交させたもので、下は矩形状底板１１上面から上は矩形状筒体１２の上部まで延びていて、下部は厚さ３ｍｍで上部は厚さ２ｍｍのテイパー状になっている。
【００２６】
ゴム製の弾性板１７は、厚さ約１０ｍｍで上面には深さ約３ｍｍほどの溝が平行に多数設けられており、裏面には上面の溝と直交するように深さ約４ｍｍほどの溝が設けられている。
【００２７】
次に、この台座１０の使用方法について説明する。
この台座１０の底面１１に貼付されている粘着テープ１８の裏紙を剥がして、図６に示すように、防水パンＰの隅に取り付ける。この台座１０の上に洗濯機の足を載置すると、洗濯機の底面と防水パンの側壁とにかなりの隙間が生じ、手を入れて、防水パンの表面を清掃することが容易となり、かつこの隙間を利用して排水トラップを外し清掃することや交換することが容易となる。
【００２８】
このように、従来から使用していた防止パンにこの台座１０を用いることで、今まで洗濯機等をどかして清掃していたのが、その必要がなくなり煩雑さが軽減される。
また、台座の下方の寸法が上方よりも小さくなっているので、防水パンの各隅に沿わせると、上方が防水パンの各隅より外側に延出（オーバーハング）するので、洗濯機等を例えばドラム式洗濯機のような寸法の大きなものに買い換えても、従来から使用していた防水パンのままで載置することが可能となる。
【００２９】
次に、本発明の第２の実施の形態に係る台座２０について説明する。
なお、第１の実施の形態に係る台座１０と同一部分には同一符号を付して説明を省略する場合がある。
図７は、この発明の第２の実施の形態に係る台座２０の斜め上方から見た斜視図である。図８は台座２０の平面図、図９は底面図、図１０は図８のＡ−Ａ線断面図、図１１は図８のＢ−Ｂ線断面図、図１２は台座２０の使用例を示す図である。
【００３０】
台座２０は、図７〜図１２に示すように、矩形状底板１１を有する矩形状筒体１２と、該矩形状筒体１２の上端部から周囲に張り出した鍔状部１３と、該鍔状部１３と垂直に交差し、矩形状筒体１２の周囲を覆う矩形状外被部１４とを有している。
また、該矩形状外被部１４と矩形状筒体の外周面とを接続する複数個の三角形のリブ１５と、矩形状筒体１２の底板１１から矩形状筒体１２の上端部まで立設され格子状に組まれた支持部材１６と、該支持部材１６の上端部と前記鍔状部１３にかけて配置され上面と下面とに互いに直交するように溝が形成されたゴム製の弾性板１７を備えている。
【００３１】
また、前記矩形状筒体１２の矩形状底板１１に、この底板１１の外形寸法と同じ矩形状筒体２１とその内部に組み込まれた格子状部材２２とで構成される延長部材２３が設けられている。この延長部材２３は、第１の実施の形態で示した台座１０の矩形状底板１１の外面に、入れ子金型によってプラスチック材（Ｐ．Ｐなど）にて組み付けたもので、この延長部材２３には底板は存在せず、格子状部材２２がそのまま剥き出しの状態で防水パンの表面に設置される。なお、格子状部材２２の底面及び矩形状筒体２１の端面にかけて粘着テープ１８が貼付し、粘着テープ１８の裏紙を剥がすことにより、台座２０の底面を他の物品に貼着することができる。
【００３２】
この実施の形態に係る台座２０は、防水パンの側壁がある程度高くなっており、かつ洗濯機等の足を載せる台座部があまり高く形成されていない場合で、第１の実施の形態に係る台座１０では洗濯機等の底面と防水パンの側壁との隙間が狭く手が入りにくい場合に用いると好都合ということになる。図１２は、そのような利用例を示したものである。
【図面の簡単な説明】
【００３３】
【図１】本発明に係る台座の第１の実施の形態の斜視図である。
【図２】図１に示す台座の平面図である。
【図３】図１に示す台座の底面図である。
【図４】図２のＡ−Ａ線による断面図である。
【図５】図２にＢ−Ｂ線による断面図である。
【図６】図１に示す台座の使用状態を示す図である。
【図７】本発明に係る台座の第２の実施の形態を示す斜視図である。
【図８】図７に示す台座の平面図である。
【図９】図７に示す台座の底面図である。
【図１０】図８のＡ−Ａ線断面図である。
【図１１】図８のＢ−Ｂ線断面図である。
【図１２】図７に示す台座の使用状態を示す図である。
【符号の説明】
【００３４】
１０（２０）    台座
１１    矩形状底板
１２    矩形状筒体
１３    鍔状部
１４    矩形状外被部
１５    リブ
１６    支持部材
１７    弾性板
１８    粘着テープ
２１    矩形状筒体
２２    格子状部材
２３    延長部材
【図１】
0005203720.tif 000002
【図２】
0005203720.tif 000003
【図３】
0005203720.tif 000004
【図４】
0005203720.tif 000005
【図５】
0005203720.tif 000006
【図６】
0005203720.tif 000007
【図７】
0005203720.tif 000008
【図８】
0005203720.tif 000009
【図９】
0005203720.tif 000010
【図１０】
0005203720.tif 000011
【図１１】
0005203720.tif 000012
【図１２】
0005203720.tif 000013